(57)【要約】      （修正有）【課題】より客観的で信頼度の高くコンテンツを評価することのできる評価システムを提供する。【解決手段】コンテンツ評価システムは脳波測定部１００、生体信号測定部２００、センサー制御部３００及びメイン制御部４００を含む。脳波測定部１００はコンテンツの提供を受ける被験者から脳波を測定して出力し、生体信号測定部２００は被験者から生体信号を測定して出力する。センサー制御部３００は脳波測定部１００及び生体信号測定部２００を制御し、脳波及び生体信号を提供を受けて伝達する。メイン制御部４００はセンサー制御部３００から伝達された脳波及び生体信号を分析してコンテンツを提供する前と提供している間に発生される脳波及び生体信号の変化を感知し、脳波及び生体信号の変化を利用して被験者のコンテンツに対する没入度及び情緒の方向のうち少なくとも一つを導出し、導出された少なくとも一つの結果を用いてコンテンツを評価するようにした。【選択図】図１
2015054240.tif 000002
【特許請求の範囲】
【請求項１】
コンテンツの提供を受ける被験者の脳波を測定して出力する脳波測定部と、
前記コンテンツの提供を受ける前記被験者の生体信号を測定して出力する生体信号測定部と、
前記脳波測定部及び前記生体信号測定部を制御し、前記脳波及び前記生体信号の提供を受けて伝達するセンサー制御部と、
前記センサー制御部から伝達された前記脳波及び前記生体信号を分析して前記コンテンツを提供する前と提供している間に発生される前記脳波及び前記生体信号の変化を感知し、前記脳波及び前記生体信号の変化を利用して前記被験者の前記コンテンツに対する没入度及び情緒の方向のうち少なくとも一つを導出し、前記導出された少なくとも一つの結果を用いて前記コンテンツを評価するメイン制御部と、を含むことを特徴とするコンテンツ評価システム。
【請求項２】
前記脳波は、
ｆｍ（frontal  midline）シータ波及びアルファ波のうち少なくとも一つを含むことを特徴とする請求項１に記載のコンテンツ評価システム。
【請求項３】
前記脳波測定部は、
前記被験者の頭に装着され、前記脳波を測定して出力する脳波キャップを含むことを特徴とする請求項２に記載のコンテンツ評価システム。
【請求項４】
前記脳波キャップは、
一部の電極が前記被験者の目に隣接して配置され前記被験者のまばたきを測定して出力することを特徴とする請求項３に記載のコンテンツ評価システム。
【請求項５】
前記メイン制御部は、
前記被験者のまばたきに対する影響を除去する独立成分分析方法で前記脳波を分析することを特徴とする請求項４に記載コンテンツ評価システム。
【請求項６】
前記被験者の前記コンテンツに対する没入度は、
前記ｆｍシータ波が増加して前記アルファ波が減少し前記まばたきの単位時間当たりの回数が減少する場合に、増加する特性を有する請求項２に記載のコンテンツ評価システム。
【請求項７】
前記生体信号は、
前記被験者の皮膚伝導度、心拍数、体温、呼吸及び顔面筋電図のうち少なくとも一つを含むことを特徴とする請求項１に記載のコンテンツ評価システム。
【請求項８】
前記生体信号測定部は、
前記被験者の皮膚伝導度を測定して出力する皮膚伝導度センサーと、
前記被験者の心拍数を測定して出力する心拍数センサーと、
前記被験者の体温を測定して出力する体温センサーと、
前記被験者の呼吸を測定して出力する呼吸センサーと、
前記被験者の顔面筋電図を測定して出力する顔面筋電図センサーと、を含むことを特徴とする請求項７に記載のコンテンツ評価システム。
【請求項９】
前記皮膚伝導度センサー、前記心拍数センサー及び前記体温センサーのうち少なくとも一つは、
前記被験者の指に取り付けられることを特徴とする請求項８に記載のコンテンツ評価システム。
【請求項１０】
前記呼吸センサーは、
前記被験者の胸部位を取り囲むように固定されていることを特徴とする請求項８に記載のコンテンツ評価システム。
【請求項１１】
前記メイン制御部は、
前記被験者の皮膚伝導度、心拍数体温及び呼吸の変化に基づいて前記被験者の前記コンテンツに対する没入度を導出し、
前記被験者の顔面筋電図の変化に基づいて前記被験者の前記コンテンツに対する情緒の方向を導出することを特徴とする請求項８に記載コンテンツ評価システム。
【請求項１２】
前記顔面筋電図は、
前記被験者の皺眉筋（Corrugator  Supercilii）、眼輪筋（Orbicularis  Oculi）及び大頬骨筋（Zygomaticus  Major）のうち少なくとも一つの測定値を含むことを特徴とする請求項１１に記載のコンテンツ評価システム。
【請求項１３】
前記メイン制御部は、
前記皺眉筋の測定値に基づいて否定的な情緒を導出し、
前記眼輪筋の測定値及び前記大頬骨筋の測定値に基づいて肯定的な情緒を導出することを特徴とする請求項１２に記載のコンテンツ評価システム。
【請求項１４】
前記被験者の前記コンテンツに対する没入度は、
前記皮膚伝導度が減少して前記心拍数が増加し前記体温が減少し前記呼吸が減少する場合に、増加する特性を有することを特徴とする請求項１１に記載のコンテンツ評価システム。
【請求項１５】
前記センサー制御部は、
前記脳波及び前記生体信号のうち少なくとも一つを増幅させて前記メイン制御部に伝達することを特徴とする請求項１に記載のコンテンツ評価システム。
【請求項１６】
前記コンテンツを評価するための評価基準データを記憶する評価基準記憶部をさらに含み、
前記メイン制御部は前記導出された少なくとも一つを前記評価基準記憶部から提供を受けた前記評価基準データに従って評価することを特徴とする請求項１に記載のコンテンツ評価システム。
【請求項１７】
前記メイン制御部は、
前記コンテンツを含む評価対象に対する評価回数の増加によって前記評価基準データを調整して前記評価基準記憶部に記憶させることを特徴とする請求項１６に記載のコンテンツ評価システム。
【請求項１８】
前記コンテンツの提供を受ける前記被験者を撮影して前記メイン制御部に出力するカメラ部をさらに含み、
前記メイン制御部は前記カメラから提供された画像を用いて前記導出された結果を検証した後、前記コンテンツを評価することを特徴とする請求項１に記載のコンテンツ評価システム。
【請求項１９】
前記メイン制御部によって評価された結果を表示する表示部をさらに含むことを特徴とする請求項１に記載のコンテンツ評価システム。
【請求項２０】
コンテンツの提供を受ける被験者から脳波を測定し、
前記コンテンツの提供を受ける前記被験者から生体信号を測定し、
前記脳波を分析して前記コンテンツを提供する前と提供している間に発生される前記脳波の変化を感知し、
前記生体信号を分析して前記コンテンツを提供する前と提供している間に発生される前記生体信号の変化を感知し、
前記脳波及び前記生体信号の変化を用いて前記被験者の前記コンテンツに対する没入度及び情緒の方向のうち少なくとも一つを導出し、
前記導出された少なくとも一つの結果を用いて前記コンテンツを評価すること、を含むことを特徴とするコンテンツ評価方法。
【請求項２１】
前記脳波は、
ｆｍ（frontal  midline）シータ波及びアルファ波のうち少なくとも一つを含むことを特徴とする請求項２０に記載コンテンツ評価方法。
【請求項２２】
前記脳波を測定することは、
前記被験者の脳波を測定し、
前記被験者のまばたきを測定すること、を含むことを特徴とする請求項２０に記載のコンテンツ評価方法。
【請求項２３】
前記脳波の変化を感知することは、
前記被験者のまばたきに対する影響を除去する独立成分分析方法として前記脳波を分析して前記脳波の変化を感知することを特徴とする請求項２２に記載のコンテンツ評価方法。
【請求項２４】
前記被験者の前記コンテンツに対する没入度及び情緒の方向のうち少なくとも一つを導出することにおいては、
前記ｆｍシータ波が増加し前記アルファ波が減少し前記まばたきの単位時間当たりの回数が減少する場合に、前記被験者の前記コンテンツに対する没入度が増加する特性を有することを特徴とする請求項２２に記載のコンテンツ評価方法。
【請求項２５】
前記生体信号は、
前記被験者の皮膚伝導度、心拍数、体温、呼吸及び顔面筋電図のうち少なくとも一つを含むことを特徴とする請求項２０に記載のコンテンツ評価方法。
【請求項２６】
前記被験者の前記コンテンツに対する没入度及び情緒方向のうち少なくとも一つを導出することは、
前記被験者の皮膚伝導度、心拍数、体温及び呼吸の変化に基づいて前記被験者の前記コンテンツに対する没入度を導出し、
前記被験者の顔面筋電図の変化に基づいて前記被験者の前記コンテンツに対する情緒の方向を導出すること、を含むことを特徴とする請求項２５に記載のコンテンツ評価方法。
【請求項２７】
前記顔面筋電図は、
前記被験者の皺眉筋、眼輪筋、及び大頬骨筋のうち少なくとも一つの測定値を含むことを特徴とする請求項２６に記載のコンテンツ評価方法。
【請求項２８】
前記被験者の前記コンテンツに対する情緒の方向を導出することにおいては、
前記皺眉筋の測定値に基づいて否定的な情緒を導出し、
前記眼輪筋の測定値及び前記大頬骨筋の測定値に基づいて肯定的な情緒を導出することを特徴とする請求項２７に記載のコンテンツ評価方法。
【請求項２９】
前記被験者の前記コンテンツに対する没入度及び情緒の方向のうち少なくとも一つを導出することにおいては、
前記皮膚伝導度が減少し前記心拍数が増加し前記体温が減少し前記呼吸が減少する場合に、前記被験者の前記コンテンツに対する没入度が増加することを特徴とする請求項２６に記載のコンテンツ評価方法。
【請求項３０】
前記コンテンツの提供を受ける前記被験者を撮影することをさらに含み、
前記導出された少なくとも一つを用いて前記コンテンツを評価することにおいては、
前記撮影された画像を用いて前記導出された結果を検証した後、前記コンテンツを評価することを特徴とする請求項２０に記載のコンテンツ評価方法。
【発明の詳細な説明】
【技術分野】
【０００１】
本発明はコンテンツ評価システム及びそれを用いたコンテンツ評価方法に関し、より詳細にはゲーム、映画、広告、音楽の興行可否を評価するコンテンツ評価システム及びそれを用いたコンテンツ評価方法に関する。
【背景技術】
【０００２】
最近、文化コンテンツ産業の発達で、この産業の発展戦略と経済的波及効果及びその展望に対する研究が多く進められつつある。しかし、その効果を論ずるに先立ってコンテンツがまともに作られたかについての評価が先行的に行われるべきである。
【０００３】
このようなコンテンツに対する評価は一般的にコンテンツの提供を受けた人による質問表を通じて行われている。質問表によるコンテンツ評価はコンテンツが開発された後に行われるのが普通であるが、質問を受けた被験者の情緒状態が反映されて主観的になり、被験者の記憶に依存して質問に答えることになるため、信頼度も高くない。
【０００４】
従って、より客観的でより信頼度の高いコンテンツの評価方法が要求されており、これに対する研究が進められつつある。
【発明の概要】
【発明が解決しようとする課題】
【０００５】
本発明は上述した従来技術の問題点を解決することをその目的とする。
【０００６】
従って、本発明はこのような問題点を解決するためのもので、本発明の解決しようとする課題は、より客観的で信頼度の高くコンテンツを評価することのできる評価システムを提供することにある。
【０００７】
また、本発明の解決しようとする他の課題は、コンテンツ評価システムを用いたコンテンツ評価方法を提供することにある。
【課題を解決するための手段】
【０００８】
上記の目的を達成するための本発明の代表的な構成は次のとおりである。
【０００９】
本発明の一実施例によるコンテンツ評価システムは、脳波測定部、生体信号測定部、センサー制御部、及びメイン制御部を含む。前記脳波測定部はコンテンツの提供を受ける被験者の脳波を測定して出力する。前記生体信号測定部は前記コンテンツの提供を受ける前記被験者生体信号を測定して出力する。前記センサー制御部は前記脳波測定部及び前記生体信号測定部を制御し、前記脳波及び前記生体信号の提供を受けて伝達する。前記メイン制御部は前記センサー制御部から伝達された前記脳波及び前記生体信号を分析して前記コンテンツを提供する前と提供している間に発生される前記脳波及び前記生体信号の変化を感知し、前記脳波及び前記生体信号の変化を利用して前記被験者の前記コンテンツに対する没入度及び情緒の方向のうち少なくとも一つを導出し、前記導出された少なくとも一つの結果を用いて前記コンテンツを評価する。
【００１０】
前記脳波は、ｆｍ（frontal  midline）シータ波及びアルファ波のうち少なくとも一つを含んでいてもよい。
【００１１】
前記脳波測定部は、前記被験者の頭に装着され、前記脳波を測定して出力する脳波キャップを含んでいてもよい。この際、前記記脳波キャップは、一部の電極が前記被験者の目に隣接して配置されて前記被験者のまばたきを測定して出力してもよい。
【００１２】
前記メイン制御部は、前記被験者のまばたきに対する影響を除去する独立性成分分析方法で前記脳波を分析してもよい。
【００１３】
前記被験者の前記コンテンツに対する没入度は、前記ｆｍシータ波が増加し前記アルファ波が減少し前記まばたきの単位時間当たりの回数が減少する場合に、増加する特性を有してもよい。
【００１４】
前記生体信号は、前記被験者の皮膚伝導度、心拍数、体温、呼吸及び顔面筋電図のうち少なくとも一つを含んでいてもよい。
【００１５】
前記生体信号測定部は、前記被験者の皮膚伝導度を測定して出力する皮膚伝導度センサーと、前記被験者の心拍数を測定して出力する心拍数センサーと、前記被験者の体温を測定して出力する体温センサーと、前記被験者の呼吸を測定して出力する呼吸センサーと、
及び前記被験者の顔面筋電図を測定して出力する顔面筋電図センサーと、を含んでいてもよい。
【００１６】
前記皮膚伝導度センサー、前記心拍数センサー及び前記体温センサーのうち少なくとも一つは、前記被験者の指に取り付けられてもよい。また、前記呼吸センサーは前記被験者の胸の部位を取り囲むように固定されてもよい。
【００１７】
前記メイン制御部は、前記被験者の皮膚伝導度、心拍数、体温及び呼吸の変化に基づいて前記被験者の前記コンテンツに対する没入度を導出し、前記被験者の顔面筋電図の変化に基づいて前記被験者の前記コンテンツに対する情緒の方向を導出してもよい。
【００１８】
前記顔面筋電図は、前記被験者の皺眉筋（Corrugator  Supercilii）、眼輪筋（Orbicularis  Oculi）及び大頬骨筋（Zygomaticus  Major）のうち少なくとも一つの測定値を含んでいてもよい。
【００１９】
前記メイン制御部は、前記皺眉筋の測定値に基づいて否定的な情緒を導出し、前記眼輪筋の測定値及び前記大頬骨筋の測定値に基づいて肯定的な情緒を導出してもよい。
【００２０】
前記被験者の前記コンテンツに対する没入度は、前記皮膚伝導度が減少し前記心拍数が増加し前記体温が減少し前記呼吸が減少する場合に、増加する特性を有してもよい。
【００２１】
前記センサー制御部は、前記脳波及び前記生体信号のうち少なくとも一つを増幅させて前記メイン制御部に伝達してもよい。
【００２２】
一方、前記コンテンツ評価システムは前記コンテンツを評価するための評価基準データを記憶する評価基準記憶部をさらに含んでいてもよい。この際、前記メイン制御部は前記導出された少なくとも一つのコンテンツを前記評価基準記憶部から提供を受けた前記評価基準データに従って評価する。この際、前記メイン制御部は、前記コンテンツを含む評価対象に対する評価回数の増加に従って前記評価基準データを調整して前記評価基準記憶部に記憶させてもよい。
【００２３】
前記コンテンツ評価システムは前記コンテンツの提供を受ける前記被験者を撮影して前記メイン制御部に出力するカメラ部をさらに含んでいてもよい。この際、前記メイン制御部は前記カメラから提供された画像を用いて前記導出された結果を検証した後、前記コンテンツを評価してもよい。
【００２４】
前記コンテンツ評価システムは前記メイン制御部によって評価された結果を表示する表示部をさらに含んでいてもよい。
【００２５】
本発明の一実施例によるコンテンツ評価方法として、まず、コンテンツの提供を受ける被験者から脳波を測定し、前記コンテンツの提供を受ける前記被験者から生体信号を測定する。続いて、前記脳波を分析して前記コンテンツを提供する前と提供する間に発生される前記脳波の変化を感知し、前記生体信号を分析して前記コンテンツを提供する前と提供する間に発生される前記生体信号の変化を感知する。続いて、前記脳波及び前記生体信号の変化を用いて前記被験者の前記コンテンツに対する没入度及び情緒の方向のうち少なくとも一つを導出する。その後、前記導出された少なくとも一つの結果を用いて前記コンテンツを評価する。
【００２６】
前記脳波は、ｆｍ（frontal  midline）シータ波及びアルファ波のうち少なくとも一つを含んでいてもよい。
【００２７】
前記脳波を測定することは、前記被験者の脳波を測定し、前記被験者のまばたきを測定することを含んでもよい。
【００２８】
前記脳波の変化を感知することは、前記被験者のまばたきに対する影響を除去する独立成分分析方法を用いて前記脳波を分析して前記脳波の変化を感知することを含んでもよい。
【００２９】
前記被験者の前記コンテンツに対する没入度及び情緒の方向のうち少なくとも一つを導出することにおいて、前記ｆｍシータ波が増加し前記アルファ波が減少し前記まばたきの単位時間当たりの回数が減少する場合、前記被験者の前記コンテンツに対する没入度が増加する特性を有してもよい。
【００３０】
前記生体信号は、前記被験者の皮膚伝導度、心拍数、体温、呼吸及び顔面筋電図のうち少なくとも一つを含んでいてもよい。
【００３１】
前記被験者の前記コンテンツに対する没入度及び情緒方向のうち少なくとも一つを導出することは、前記被験者の皮膚伝導度、心拍数及体温及び呼吸の変化に基づいて前記被験者の前記コンテンツに対する没入度を導出し、前記被験者の顔面筋電図の変化に基づいて前記被験者の前記コンテンツに対する情緒の方向を導出することを含んでもよい。
【００３２】
前記顔面筋電図は、前記被験者の皺眉筋、眼輪筋、及び大頬骨筋のうち少なくとも一つの測定値を含んでいてもよい。
【００３３】
前記被験者の前記コンテンツに対する情緒の方向を導出することにおいて、前記皺眉筋の測定値に基づいて否定的な情緒を導出し、前記眼輪筋の測定値及び前記大頬骨筋の測定値に基づいて肯定的な情緒を導出してもよい。
【００３４】
前記被験者の前記コンテンツに対する没入度及び情緒の方向のうち少なくとも一つを導出することにおいて、前記皮膚伝導度が減少し前記心拍数が増加し前記体温が減少し前記呼吸が減少する場合に、前記被験者の前記コンテンツに対する没入度が増加する特性を有してもよい。
【００３５】
一方、前記コンテンツ評価方法は前記コンテンツの提供を受ける前記被験者を撮影することをさらに含んでいてもよい。この際、前記導出された少なくとも一つを用いて前記コンテンツを評価することにおいては、前記撮影された画像を用いて前記導出された結果を検証した後、前記コンテンツを評価することを含んでもよい。
【発明の効果】
【００３６】
このように本発明のコンテンツ評価システム及びそれを用いたコンテンツ評価方法によると、被験者の脳波及び生体反応、画像などの客観的なデータを用いた各コンテンツ別の興行可否を高い信頼度で評価することができる。これにより、各コンテンツの開発及び企画内容を評価して必要な部分を改善することができ、各コンテンツの内容のうち問題のある部分を正確に把握して修正または変更することができ、各コンテンツの興行可否を予め把握して公開した後に発生する様々な場合に予め対応しておくことができ、各コンテンツ企画者に定量的なフィードバックを与えコンテンツ企画の品質を高めることができる。
【図面の簡単な説明】
【００３７】
【図１】本発明の一実施例によるコンテンツ評価システムを示したブロック図である。
【図２】図１のコンテンツ評価システムのうち脳波測定部を示したブロック図である。
【図３】図２の脳波測定部のうち脳波キャップが被験者に装着された状態を示した図面である。
【図４】図１のコンテンツ評価システムのうち生体信号測定部を示したブロック図である。
【図５】図４の生体信号測定部のうち皮膚伝導度センサー、心拍数センサー及び体温センサーが装着された状態を示した図面である。
【図６】図４の生体信号測定部のうち呼吸センサーが装着された状態を示した図面である。
【図７】図４の生体信号測定部のうち顔面筋電図センサーが測定する顔の位置を示した図面である。
【図８】本発明の一実施例によるコンテンツ評価方法を説明するためのフローチャートである。
【発明を実施するための形態】
【００３８】
本発明は様々な変更を加えることができ、様々な形態を有することできる。ここでは、特定の実施形態を図面に例示し本文に詳細に説明する。しかし、これは本発明を特定の開示形態に限定するものではなく、本発明の思想及び技術範囲に含まれる全ての変更、均等物乃至代替物を含むこととして理解されるべきである。
【００３９】
第１、第２などの用語は様々な構成要素を説明するのに使用されることがあるが、この構成要素はこの用語によって限定解釈されない。この用語は一つの構成要素を他の構成要素から区別する目的のみとして使用される。例えば、本発明の権利範囲を外れることなく第１構成要素を第２構成要素ということができ、同様に第２構成要素も第１構成要素ということができる。
【００４０】
本出願において使用した用語は単なる特定の実施形態を説明するために使用されたもので、本発明を限定しようとする意図ではない。単数の表現は文脈上明白に示さない限り、複数の表現を含む。本出願において、「含む」または「有する」などの用語は明細書に記載された特徴、数字、ステップ、段階、動作、構成要素、部品またはこれらを組み合わせたものが存在することを意味し、一つまたはそれ以上の他の特徴や数字、ステップ、段階、動作、構成要素、部品またはこれらを組み合わせたものの存在または付加可能性を予め排除しないこととして理解されるべきである。
【００４１】
以下、図面を参照して本発明の好適な一実施例をより詳細に説明する。
【００４２】
図１は本発明の一実施例によるコンテンツ評価システムを示したブロック図である。
【００４３】
図１を参照すると、本実施例によるコンテンツ評価システムはコンテンツデバイス１０に基づいて被験者に提供されるコンテンツを評価するためのものであり、脳波測定部１００、生体信号測定部２００、センサー制御部３００、メイン制御部４００、カメラ部５００、評価基準記憶部６００及び表示部７００を含んでいる。ここで、コンテンツは映画、音楽などのような各種メディアや、ゲーム、広告、ショッピングなどのうちいずれか一つであってもよい。また、コンテンツデバイス１０はコンテンツを提供するＴＶ、ＰＣ、スマートフォン、タブレットなどが含まれ、画像及び音楽を提供することのできる各種プレーヤのうち一つである。
【００４４】
脳波測定部１００はコンテンツデバイス１０に基づいてコンテンツの提供を受ける被験者から脳波を測定してセンサー制御部３００に出力する。生体信号測定部２００はコンテンツの提供を受ける被験者から生体信号を測定してセンサー制御部３００に出力する。
【００４５】
センサー制御部３００は脳波測定部１００及び生体信号測定部２００をそれぞれ制御し、脳波測定部１００及び生体信号測定部２００から脳波及び生体信号の提供を受けてメイン制御部４００に伝達する。この際、センサー制御部３００は脳波及び生体信号をメイン制御部４００で使用可能な信号レベルに変更して出力することができる。
【００４６】
一方、センサー制御部３００は脳波及び生体信号のうち少なくとも一つを増幅させてメイン制御部４００に伝達することができる。また、センサー制御部３００は脳波のうち一定の周波数帯域、例えば、フィルタリングして約０．１Ｈｚ〜約５０Ｈｚの帯域のみを出力してもよいし、生体信号のうち一部の信号のみを選択的に出力させてもよい。
【００４７】
メイン制御部４００はセンサー制御部３００から伝達された脳波及び生体信号を分析してコンテンツを提供する前とコンテンツを提供している間に発生される脳波及び生体信号の変化を感知する。その後、メイン制御部４００は脳波及び生体信号の変化を利用して被験者のコンテンツに対する没入度及び情緒の方向のうち少なくとも一つを導出し、このように導出された結果を用いてコンテンツを評価する。
【００４８】
カメラ部５００はコンテンツの提供を受ける被験者を撮影してメイン制御部４００に出力する。この際、メイン制御部４００はカメラ部５００から提供された画像を分析して被験者の全体の動作を把握し、このように把握された結果を用いて、上述のように導出された結果である被験者の没入度または情緒の方向を一次的に検証した後、コンテンツに対する具体的な評価を実行することができる。従って、導出された結果である被験者の没入度または情緒の方向と、被験者の全体の動作とを相互に比較して分析することで、その導出した結果のノイズを除去、修正及び補完することでコンテンツに対する評価の信頼度をより向上させることができる。
【００４９】
評価基準記憶部６００はコンテンツを評価するための評価基準データを記憶し、メイン制御部４００からの要請によって評価基準データを提供することができる。この際、メイン制御部４００は評価基準記憶部６００から提供された評価基準データに従って、上述のように導出された結果を評価することで、コンテンツの興味誘発の程度を評価することができる。
【００５０】
一方、評価基準データはコンテンツの種類毎、被験者の年齢または性別毎に別途の基準データで区分されて記憶されてもよい。また、メイン制御部４００はコンテンツを含む評価対象に対する評価回数が増加することにより評価基準データを調整して評価基準記憶部６００に記憶させることができる。具体的には、例えば、メイン制御部４００は一定期間にわたって累積された評価対象に対する評価結果を分析して評価基準データの調整の必要性の有無を決定し、評価基準データの調整が必要であると判断されると、累積された評価結果に従って新しい評価基準データを設定して前記評価基準記憶部６００に記憶させることができる。
【００５１】
表示部７００はメイン制御部４００によって制御され、メイン制御部４００によって評価された結果を表示することができる。
【００５２】
本実施例において、メイン制御部４００はコンピュータ本体または中央処理装置を、評価基準記憶部６００はハードディスク、外付けメモリのような外部記憶装置またはコンピュータ内部に存在する内部メモリを、そして表示部７００はコンピュータ本体と接続されたモニターなどを意味してもよい。
【００５３】
図２は図１のコンテンツ評価システムのうち脳波測定部を示したブロック図であり、図３は図２の脳波測定部のうち脳波キャップが被験者に装着された状態を示した図面である。
【００５４】
図２及び図３を参照すると、前記脳波測定部１００によって測定される脳波のｆｍシータ波及びアルファ波のうち少なくとも一つを含んでいてもよい。この際、ｆｍシータ波は約６．５Ｈｚ〜約７．５Ｈｚの範囲に属する脳波であり、アルファ波は約８Ｈｚ〜約１２Ｈｚの範囲に属する脳波であってもよい。
【００５５】
脳波測定部１００は被験者の頭に装着されて脳波を測定して出力する脳波キャップ１１０、及び脳波キャップ１１０から出力された脳波をセンサー制御部３００に伝達する脳波連結部１２０を含んでいてもよい。
【００５６】
脳波キャップ１１０は脳波を測定するための複数の電極から構成され、これらの電極は被験者の頭の複数の位置に取り付けられている。この際、電極のうち一部は被験者の顔部位に取り付けられ、特に、一部の電極が被験者の目に隣接して配置されて被験者のまばたきを測定することができる。例えば、複数の電極のうち一部は被験者の顔のうち額と目の横と上、そして下に取り付けられてもよい。
【００５７】
脳波連結部１２０は脳波キャップ１１０から提供された脳波及びまばたきをセンサー制御部３００に伝達することができる。この際、脳波連結部１２０は脳波の全部を伝達することもできるが、脳波のうち一部、例えば、ｆｍシータ波及びアルファ波のみを選択的に伝達することができる。
【００５８】
一方、メイン制御部４００はセンサー制御部３００から提供を受けたまばたきを同時に考慮して脳波を分析することができる。この際、脳波を分析することに先立って、次のような脳波の変換過程を行うことによって脳波の分析結果に対する信頼度を向上させることができる。まず、脳波に含まれているノイズ、例えば、周辺電磁波による影響を除去することができる。このようなノイズ除去は人による肉眼検査で実行することもできるが、センサー制御部３００またはメイン制御部４００で自動に実行されてもよい。二番目に、脳波の全区間を一部の帯域、例えば、約０．１Ｈｚ〜約５０Ｈｚ帯域のみ残されるようにフィルタリングしてもよい。このようなフィルタリングは脳波測定部１００で実行されてもよいし、またはセンサー制御部３００やメイン制御部４００で実行されてもよい。三番目に、コンテンツを提示する前と提示している間の区間に独立成分分析を適用して脳波からまばたきと関連した成分を除去してもよい。四番目に、コンテンツを提示する前と提示している間の区間に脳波に対して高速フーリエ変換を実行してもよい。五番目に、脳波を周波数帯域毎に分類して没入度、即ち、集中度と関連性の高いｆｍシータ波及びアルファ波を抽出してもよい。ここで、まばたき除去過程、高速フーリエ変換過程及び脳波のうち一部を抽出する過程はメイン制御部４００で実行されてもよい。
【００５９】
本実施例において、ｆｍシータ波が増加しアルファ波が減少しまばたきの単位時間当たりの回数（例えば、１分当たりの回数）が減少する際、被験者のコンテンツに対する没入度は増加する特性を有する。従って、メイン制御部４００はｆｍシータ波の変化、アルファ波の変化及びまばたきの単位時間当たりの回数の変化を総合的に考慮して、被験者のコンテンツに対する没入度を導出することができる。
【００６０】
図４は図１のコンテンツ評価システムのうち生体信号測定部を示したブロック図である。
【００６１】
図４を参照すると、生体信号測定部２００から測定される生体信号は被験者の皮膚伝導度、心拍数（単位時間当たりの拍動数）、体温、呼吸及び顔面筋電図のうち少なくとも一つを含んでいてもよい。
【００６２】
具体的には、生体信号測定部２００は被験者の皮膚伝導度を測定して出力する皮膚伝導度センサー２１０、被験者の心拍数を測定して出力する心拍数センサー２２０、被験者の体温を測定して出力する体温センサー２３０、被験者の呼吸を測定して出力する呼吸センサー２４０、及び被験者の顔面筋電図を測定して出力する顔面筋電図センサー２５０を含んでいてもよい。
【００６３】
一方、メイン制御部４００は生体信号測定部２００で測定される生体信号の変化に基づいて被験者のコンテンツに対する没入度及び情緒の方向のうち少なくとも一つを導出することができる。例えば、メイン制御部４００は被験者の皮膚伝導度、心拍数、体温及び呼吸の変化に基づいて被験者のコンテンツに対する没入度を導出することができ、被験者の顔面筋電図の変化に基づいて被験者のコンテンツに対して情緒の方向、即ち、肯定的な情緒または否定的な情緒を導出することができる。
【００６４】
本実施例において、皮膚伝導度が減少し心拍数が増加し体温が減少し呼吸が減少するとき、被験者のコンテンツに対する没入度が増加する特性を有する。
【００６５】
従って、メイン制御部４００は上述したｆｍシータ波の変化、アルファ波の変化及びまばたきの単位時間当たりの回数の変化と共に、皮膚伝導度の変化、心拍数の変化、体温の変化及び呼吸の変化を総合的に評価して被験者のコンテンツに対する没入度を導出することができる。ここで、上述した各信号の変化は互いに異なる加重値が付与されて被験者のコンテンツに対する没入度を導出するときに使用されてもよい。
【００６６】
図５は図４の生体信号測定部のうち皮膚伝導度センサー、心拍数センサー及び体温センサーが装着された状態を示した図面である。
【００６７】
図５を参照すると、皮膚伝導度センサー２１０、心拍数センサー２２０及び体温センサー２３０のうち少なくとも一つは被験者の指に取り付けられる。例えば、皮膚伝導度センサー２１０は被験者の中指に、心拍数センサー２２０は被験者の人差し指及び薬指に、そして体温センサー２３０は被験者の小指に取り付けられて各生体信号を測定することができる。
【００６８】
しかし、皮膚伝導度センサー２１０、心拍数センサー２２０及び体温センサー２３０は被験者の指以外の部位に取り付けられる。例えば、被験者がＰＣゲームコンテンツを実行する対象者である場合、皮膚伝導度センサー２１０、心拍数センサー２２０及び体温センサー２３０は被験者の足の指に取り付けられてもよい。
【００６９】
図６は図４の生体信号測定部のうち呼吸センサーが装着された状態を示す図面である。
【００７０】
図６を参照すると、呼吸センサー２４０は被験者の胸部位を取り囲むように固定されてもよい。しかし、呼吸センサー２４０は呼吸を測定することのできる被験者の他の部位どこに取り付けられてもよい。
【００７１】
図７は図４の生体信号測定部のうち顔面筋電図センサーが測定する顔位置を示した図面である。
【００７２】
図７を参照すると、顔面筋電図センサー２５０で測定される顔面筋電図は被験者の皺眉筋、眼輪筋、及び大頬骨筋のうち少なくとも一つの測定値を含んでいてもよい。
【００７３】
具体的には、顔面筋電図センサー２５０は被験者の皺眉筋から測定する第１顔面センサー、被験者の眼輪筋から測定する第２顔面センサー、及び大頬骨筋から測定される第３顔面センサーを含んでいてもよい。
【００７４】
一方、メイン制御部４００は被験者の顔面筋電図の変化に基づいて被験者のコンテンツに対する情緒の方向、即ち、肯定的な情緒または否定的な情緒を導出することができる。具体的には、メイン制御部４００は皺眉筋の測定値に基づいて否定的な情緒を導出することができ、眼輪筋の測定値及び大頬骨筋の測定値に基づいて肯定的な情緒を導出することができる。この際、肯定的な情緒はコンテンツの評価にプラス要素として作用し、否定的な情緒はコンテンツの評価にマイナス要素として作用する。また、被験者の顔面筋電図は測定される顔筋肉毎に互いに異なる加重値が付与されて情緒の程度を測定することができる。
【００７５】
以下、上述したコンテンツ評価システムを用いてコンテンツを評価する方法について詳細に説明する。
【００７６】
図８は本発明の一実施例によるコンテンツ評価方法を説明するためのフローチャートである。
【００７７】
図８を参照すると、本実施例によるコンテンツ評価方法として、まず、脳波測定部１００によってコンテンツの提供を受ける被験者から脳波を測定し（ステップＳ１０）、生体信号測定部２００によってコンテンツの提供を受ける被験者から生体信号を測定し（ステップＳ２０）、カメラ部５００によってコンテンツの提供を受ける被験者を撮影する（ステップＳ３０）。この際、ステップＳ１０、Ｓ２０及びＳ３０は互いに同時に実行されてもよいし、その順序が変更されて実行されてもよい。
【００７８】
本実施例において、脳波測定部１００によって測定される脳波はｆｍシータ波及びアルファ波のうち少なくとも一つを含んでいてもよい。また、脳波を測定する過程（ステップＳ１０）においては被験者の脳波を測定しながら、被験者のまばたきも共に測定することができる。また、生体信号測定部２００によって測定される生体信号は被験者の皮膚伝導度、心拍数、体温、呼吸及び顔面筋電図のうち少なくとも一つを含んでいてもよい。また、生体信号の一つである顔面筋電図は被験者の皺眉筋、眼輪筋、及び大頬骨筋のうち少なくとも一つの測定値を含んでいてもよい。
【００７９】
続いて、メイン制御部４００から脳波を分析してコンテンツの提供を受ける前と提供している間に発生される脳波の変化を感知し（ステップＳ４０）、生体信号を分析してコンテンツを提供する前と提供している間に発生される生体信号の変化を感知する（ステップＳ５０）。ステップＳ４０とステップＳ５０とは同時に、またはその順序とは関係なく実行されてもよい。
【００８０】
本実施例において、脳波の変化を感知する過程（ステップＳ４０）において、被験者のまばたきに対する影響を除去する独立成分分析方法で脳波を分析して脳波の変化を感知することができる。
【００８１】
続いて、メイン制御部４００から、脳波及び生体信号の変化を用いて被験者のコンテンツに対する没入度及び情緒の方向のうち少なくとも一つを導出する（ステップＳ６０）。
【００８２】
本実施例において、脳波の変化は被験者のコンテンツに対する没入度に影響を及ぼす。具体的には、ｆｍシータ波が増加してアルファ波が減少しまばたきの単位時間当たりの回数が減少する場合、被験者のコンテンツに対する没入度が増加する特性を有する。
【００８３】
また、生体信号の変化は被験者のコンテンツに対する没入度及び情緒の方向の全部に影響を及ぼす。例えば、被験者の皮膚伝導度、心拍数、体温及び呼吸の変化に基づいて被験者のコンテンツに対する没入度を導出し、被験者の顔面筋電図の変化に基づいて被験者のコンテンツに対する情緒の方向を導出することができる。
【００８４】
具体的には、皮膚伝導度が減少して心拍数が増加し、体温が減少し呼吸が減少する際、被験者のコンテンツに対する没入度が増加する特性を有する。また、被験者のコンテンツに対する情緒の方向を導出する過程において、皺眉筋の測定値に基づいて否定的な情緒を導出し、眼輪筋の測定値及び大頬骨筋の測定値に基づいて肯定的な情緒を導出することができる。
【００８５】
続いて、メイン制御部４００から、カメラ部５００によって撮影された被験者の画像を用いてステップＳ６０で導出された結果を検証する（ステップＳ７０）。具体的には、カメラ部５００から提供された画像を分析して被験者の全体の動作を把握し、このように把握された結果を用いて、ステップＳ６０で導出された結果である被験者の没入度または情緒の方向を一時的に検証する。即ち、ステップＳ６０で導出された結果と、被験者の全体の動作とを相互に比較して分析することで、ステップＳ６０で導出した結果のノイズを除去、修正及び補完することができる。
【００８６】
続いて、メイン制御部４００で、ステップＳ７０において検証された結果を用いてコンテンツを評価する（ステップＳ８０）。具体的には、コンテンツの評価は評価基準記憶部６００から提供された評価基準データに従って実行される。この際、評価基準データはコンテンツの種類毎、被験者の年齢または性別毎に別途の基準データに区分されて記憶されてもよく、一定期間にわたって累積された評価結果を分析して新しくアップデートされる。
【００８７】
一方、ステップＳ７０において実行されたコンテンツの評価は表示部７００によって表示される。
【００８８】
このように本実施例によると、被験者の脳波及び生体信号、画像などの客観的なデータを用いて各コンテンツ別の興行可否を高い信頼度で評価することができる。これにより、各コンテンツの開発及び企画内容を評価して必要な部分を改善することができ、各コンテンツの内容のうち問題のある部分を正確に把握して修正または変更することができ、前記各コンテンツの興行可否を予め把握して公開した後に発生する可能性のある様々な事情に対して予め対応することができ、各コンテンツ企画者に定量的なフィッドバックを与えてコンテンツ企画の品質を高くすることができる。
【００８９】
以上、本発明の実施例によって詳細に説明したが、本発明はこれに限定されず、本発明が属する技術分野において通常の知識を有する者であれば、本発明の思想と精神を離れることなく、本発明を修正または変更できる。
【符号の説明】
【００９０】
１０    コンテンツデバイス
１００  脳波測定部
１１０  脳波キャップ
１２０  脳波連結部
２００  生体信号測定部
２１０  皮膚伝導度センサー
２２０  心拍数センサー
２３０  体温センサー
２４０  呼吸センサー
２５０  顔面筋電図センサー
３００  センサー制御部
４００  メイン制御部
５００  カメラ部
６００  評価基準記憶部
７００  表示部
【図１】
2015054240.tif 000003
【図２】
2015054240.tif 000004
【図３】
2015054240.tif 000005
【図４】
2015054240.tif 000006
【図５】
2015054240.tif 000007
【図６】
2015054240.tif 000008
【図７】
2015054240.tif 000009
【図８】
2015054240.tif 000010